(57)【要約】【課題】仕向けが異なる個別データを同じ地図ディスクに入れても他仕向け用のナビゲーション装置では表示や音声出力などされない記録媒体および再生装置を提供すること。【解決手段】仕向けが互いに異なるナビゲーション装置２０と３０を識別するための識別コードを有する仕向け別識別用コードファイル１８と、識別コードに対応づけられ、自装置モデルでのみ利用のための出力を許容する検索データ１５、音声認識データ１６、マークデータ１７といった複数の仕向け別データと、上記複数のナビゲーション装置で出力を許容する共通データとしての地図データを地図ディスク１０に格納して、ナビゲーション装置が識別コードで自装置モデル用か他装置モデル用かを区別するようにした。【選択図】　図１
2004117331.tif 000002
【特許請求の範囲】
【請求項１】
複数の再生装置を識別するための識別コードを有する再生装置識別用コードファイルと、前記識別コードに対応づけられ、前記複数の再生装置のうちの一部の再生装置でのみでの利用が許容される特定再生装置用データと、前記複数の再生装置で利用を許容する共通データとを格納したことを特徴とする記録媒体。
【請求項２】
前記識別コードは、仕向け別を識別するコードであることを特徴とする請求項１に記載の記録媒体。
【請求項３】
前記再生装置はナビゲーション装置であり、前記特定再生装置用データは描画用データ、索引データ、音声認識データ、およびマークデータの少なくとも一つのデータを含むことを特徴とする請求項１または請求項２に記載の記録媒体。
【請求項４】
前記再生装置はナビゲーション装置であり、前記共通データは地図データであることを特徴とする請求項１乃至請求項３のいずれかに記載の記録媒体。
【請求項５】
前記再生装置識別用コードファイルは、外付けファイルであることを特徴とする請求項１乃至請求項４のいずれかに記載の記録媒体。
【請求項６】
請求項１乃至請求項５のいずれかの記録媒体から再生装置識別用コードファイルを読み込んで自装置での利用が許可された識別コード以外の他装置用の識別コードを記憶し、前記特定再生装置用データのうち前記記憶した識別コードを有するデータの利用のための出力を制限する出力制限手段を備えたことを特徴とする再生装置。
【請求項７】
前記再生装置はナビゲーション装置であり、前記特定再生装置用データは表示するマークであり、前記出力制限手段は前記記憶した識別コードを有する前記マークを透明色として自装置で描画することを特徴とする請求項６に記載の再生装置。
【請求項８】
前記再生装置はナビゲーション装置であり、前記特定再生装置用データは索引データであり、前記出力制限出力制限手段は前記記憶した識別コードを有する前記索引データを出力対象から外すことを特徴とする請求項６または請求項７に記載の再生装置。
【請求項９】
前記再生装置はナビゲーション装置であり、前記特定装置用データは音声認識用の認識語であり、前記出力制限手段は前記記憶した識別コードを有する音声認識用の認識語を認識対象単語テーブルから外すことを特徴とする請求項６乃至請求項８のいずれかに記載の再生装置。
【発明の詳細な説明】
【０００１】
【発明の属する技術分野】
本発明は、どの再生装置でも使用する共通データと、複数の再生装置間で使用が異なる個々の個別データをまとめた特定再生装置用データとの両種類のデータを格納した記憶媒体とその再生装置に関する。
【０００２】
【従来の技術】
従来、この種の記録媒体としては、たとえばナビゲーション装置に利用されるＣＤ−ＲＯＭやＤＶＤ等があり、日本語と英語といった異なる言語で表示や出力したい場合に記録媒体をその都度交換しなくても済むように、異なる言語ごとに設定した文字・言語データをどの言語の場合にも共通に表示する地図データと併せて１個の記録媒体内にまとめて格納し、言語切替手段で希望する言語による表示へと切り替えることができるようにしていた（たとえば、特許文献１参考）。
【０００３】
【特許文献１】
特開平９−９７００６号公報
【０００４】
【発明が解決しようとする課題】
このような従来の記録媒体は、どの再生装置も共通して使用する共通データと再生装置によって使用が異なる個別データ（たとえば複数カ国の言語データ）とを記録媒体に格納する場合、それまで個別データごとに製造していた異なる種類の記録媒体に代えて、異なる個別データをまとめて共通データと併せて１個の記録媒体に格納することにより、再生装置間で使用するデータが異なっていても同じ記録媒体を用いて使い分けができるようにし、低コスト化および記録媒体の取り替え不要といった利便性が図られてはいたものの、以下の問題点があった。
【０００５】
たとえば、同じくナビゲーション装置に用いる記録媒体では、仕向け別で異なるデータ（たとえば、ディーラデータの検索や表示など）が必要なため、これらを上記従来の記録媒体と同じような手法を用い、仕向け別で異なるデータをまとめて１枚の記録媒体に格納してしまえば低コスト化が実現できることとなる。
【０００６】
しかし、従来の手法ではどの再生装置でも個別データを画像や音声で出力することが可能であったため、個別データが言語である場合は問題がなかったものの、個別データが仕向け別のデータである場合、余分なデータや好ましくないデータが表示部に可視可能に表示されてしまったり、あるいは音声出力されてしまい、不都合が生じることとなる。
本発明はこのような問題を解決するためになされたもので、仕向け別などのように複数の再生装置間で異なる個別データをまとめ、どの再生装置でも使用する共通データとともに１つの記録媒体に格納した場合にも、再生装置によっては余分なデータや好ましくないデータまでが出力されることのないようにした記録媒体およびその再生装置を提供するものである。
【０００７】
【課題を解決するための手段】
本発明の記録媒体は、複数の再生装置を識別するための識別コードを有する再生装置識別用コードファイルと、識別コードに対応づけられ、複数の再生装置のうちの一部の再生装置でのみ利用のための出力を許容する特定再生装置用データと、複数の再生装置で出力を許容する共通データとを格納した構成を有している。
この構成により、再生装置別に異なるデータを使用する場合にこれらの個別データを特定再生装置用データとしてまとめて１つの記録媒体に格納しても、再生装置によっては余分なデータや好ましくないデータまで出力されて可視表示、音声出力、あるいは音声認識等に利用できるようになるのを防ぐようにした記録媒体を提供することが可能となる。
【０００８】
また、本発明の記録媒体は、複数の再生装置を識別するための識別コードを有する再生装置識別用コードファイルと、識別コードに対応づけられ、複数の再生装置のうちの一部の再生装置でのみ利用のための出力を許容する特定再生装置用データと、複数の再生装置で出力を許容する共通データとを格納するとともに、識別コードが、仕向け別を識別するコードである構成を有している。
この構成により、仕向け別に異なるデータを特定再生装置用データとしてまとめて１個の記録媒体に格納しても再生装置によっては余分なデータや好ましくないデータまで出力されて可視表示、音声出力、あるいは音声認識等に利用できるようになるのを防ぐようにした記録媒体を提供することが可能となる。
【０００９】
また、本発明の記録媒体は、複数の再生装置を識別するための識別コードを有する再生装置識別用コードファイルと、識別コードに対応づけられ、複数の再生装置のうちの一部の再生装置でのみ利用のための出力を許容する特定再生装置用データと、複数の再生装置で出力を許容する共通データとを格納するとともに、再生装置がナビゲーション装置であり、前記特定再生装置用データが描画用データ、索引データ、音声認識データ、およびマークデータの少なくとも一つのデータを含む構成を有している。
この構成により、上記いずれかのデータを特定再生装置用データとして１個の記録媒体にまとめて格納することが可能となり、記録媒体の低コスト化を図りながらそのまとめた特定再生装置用データのうち再生装置によっては余分なデータや好ましくないデータとなるものまで出力されて可視表示、音声出力、あるいは音声認識等に利用できるようになるのを防ぐようにしたナビゲーション用の記録媒体を提供することが可能となる。
【００１０】
また、本発明の記録媒体は、複数の再生装置を識別するための識別コードを有する再生装置識別用コードファイルと、識別コードに対応づけられ、複数の再生装置のうちの一部の再生装置でのみ利用のための出力を許容する特定再生装置用データと、複数の再生装置で出力を許容する共通データとを格納するとともに、再生装置がナビゲーション装置であり、共通データが地図データである構成を有している。
この構成により、ナビゲーションで大きな容量を占める地図データを共通化することが可能となり、安価で、かつ再生装置によっては余分なデータや好ましくないデータまで出力されて可視表示、音声出力、あるいは音声認識等に利用できるようになるのを防ぐようにしたナビゲーション用の記録媒体を提供することが可能となる。
【００１１】
また、本発明の記録媒体は、複数の再生装置を識別するための識別コードを有する再生装置識別用コードファイルと、識別コードに対応づけられ、複数の再生装置のうちの一部の再生装置でのみ利用のための出力を許容する特定再生装置用データと、複数の再生装置で出力を許容する共通データとを格納するとともに、再生装置識別用コードファイルが、外付けファイルである構成を有する。
この構成により、既存のデータフレームに影響をあたえることなく、安価で、かつ再生装置によっては余分なデータや好ましくないデータまで出力されて可視表示、音声出力、あるいは音声認識等に利用できるようになるのを防ぐようにした記録媒体を提供することが可能となる。
【００１２】
また、本発明の再生装置は、複数の再生装置を識別するための識別コードを有する再生装置識別用コードファイルと、識別コードに対応づけられ、複数の再生装置のうちの一部の再生装置でのみ利用のための出力を許容する特定再生装置用データと、複数の再生装置で出力を許容する共通データとを格納したことを特徴とする記録媒体から再生装置識別用コードファイルを読み込んで自装置での利用が許可された識別コード以外の他装置用の識別コードを記憶し、特定再生装置用データのうち上記記憶した識別コードを有するデータの利用による出力を制限する出力制限手段を備えた構成を有する。
この構成により、再生装置の使用種類によって異なったデータをまとめた記録媒体を再生しても、再生装置によっては余分なデータや好ましくないデータまで出力されて可視表示、音声出力、あるいは音声認識等に利用できるようになるのを防ぐようにこれらの出力を制限することが可能な再生装置を提供することができる。
【００１３】
また、本発明の再生装置は、複数の再生装置を識別するための識別コードを有する再生装置識別用コードファイルと、識別コードに対応づけられ、複数の再生装置のうちの一部の再生装置でのみ利用のための出力を許容する特定再生装置用データと、複数の再生装置で出力を許容する共通データとを格納したことを特徴とする記録媒体から再生装置識別用コードファイルを読み込んで自装置での利用が許可された識別コード以外の他装置用の識別コードを記憶し、特定再生装置用データのうち上記記憶した識別コードを有するデータの利用による出力を制限する出力制限手段を備えるとともに、再生装置がナビゲーション装置であり、特定再生装置用データが表示するマークであり、出力制限手段が上記記憶した識別コードを有するマークを透明色として自装置で描画する構成を有する。
この構成により、地図上に描画するマークなど、仕向け別等で異なるマークを特定再生装置用データとしてまとめたナビゲーション用の記録媒体を再生しても、自装置に関係しない他仕向けのナビゲーション用のマークが表示部に可視表示されるのを防ぐことができ、かつあらかじめ可視表示不要なマークを透明色として表示するだけであるから、描画の都度データ選別判定することによる描画速度の遅れをなくして画面のスクロール速度を高速化することが可能となる。
【００１４】
また、本発明の再生装置は、複数の再生装置を識別するための識別コードを有する再生装置識別用コードファイルと、識別コードに対応づけられ、複数の再生装置のうちの一部の再生装置でのみ利用のための出力を許容する特定再生装置用データと、複数の再生装置で出力を許容する共通データとを格納したことを特徴とする記録媒体から再生装置識別用コードファイルを読み込んで自装置での利用が許可された識別コード以外の他装置用の識別コードを記憶し、特定再生装置用データのうち上記記憶した識別コードを有するデータの利用による出力を制限する出力制限手段を備えるとともに、再生装置がナビゲーション装置であり、特定再生装置用データが索引データであり、出力制限出力制限手段が上記記憶した識別コードを有する索引データを出力対象から外す構成を有する。
この構成により、検索のデータを仕向け別等で特定再生装置用データとしてまとめたナビゲーション用の記録媒体を再生しても、自装置に関係しない他仕向けのカーナビゲーション用の検索データが表示されるのを防ぐことができる。
【００１５】
また、本発明の再生装置は、複数の再生装置を識別するための識別コードを有する再生装置識別用コードファイルと、識別コードに対応づけられ、複数の再生装置のうちの一部の再生装置でのみ利用のための出力を許容する特定再生装置用データと、複数の再生装置で出力を許容する共通データとを格納したことを特徴とする記録媒体から再生装置識別用コードファイルを読み込んで自装置での利用が許可された識別コード以外の他装置用の識別コードを記憶し、特定再生装置用データのうち上記記憶した識別コードを有するデータの利用による出力を制限する出力制限手段を備えるとともに、再生装置がナビゲーション装置であり、特定装置用データが音声認識用の認識語であり、出力制限手段が上記記憶した識別コードを有する音声認識用の認識語を認識対象単語テーブルから外す構成を有する。
この構成により、認識語を仕向け別等で特定再生装置用データとしてまとめたナビゲーション用の記録媒体を再生しても、自装置に関係しない他仕向けのナビゲーション用の認識語が音声認識されて利用されるのを防ぐことができる。
【００１６】
【発明の実施の形態】
以下、本発明の実施の形態について、図面を用いて説明する。
図１に示すように、本発明の実施の形態の記録媒体である地図ディスク１０は、このＡ仕向け用のナビゲーション装置２０およびＢ仕向け用のナビゲーション装置３０といった仕向けが異なる複数（図では２台だが、それ以上でもよい）のナビゲーション装置４０で使用される。
この地図ディスク１０は、管理データ１１、描画用データ１２、経路探索用データ１３、誘導案内用データ１４、索引データ１５、音声認識データ１６、マークデータ１７等に加えて、外付けファイルで仕向け識別用ファイルデータ１８といったデータがまとめて格納されている。
【００１７】
上記データのうち、描画用データ１２、索引データ１５、音声認識データ１６、マークデータ１７、および仕向け識別用ファイルデータ１８は、仕向け識別を行えるように種別コードやＩＤ等の識別コードが付与されており、本発明の特定再生装置用データを構成する。また仕向け識別用データは、本発明の再生装置識別用コードファイルを構成する。
【００１８】
ナビゲーション装置４０は、図２に示すように、複数のＧＰＳ（ＧｌｏｂａｌＰｏｓｉｔｉｏｎｉｎｇ　Ｓｙｓｔｅｍ）衛星からの信号波を受けて演算することで自車両の位置を測位する測位部４１と、携帯電話等を介して外部との通信を行うための通信部４２と、ナビゲーション装置４０の操作等を行うための入力部４３と、同じくナビゲーション装置４０の操作を音声入力で行うための音声入力部４４と、地図ディスク１０から地図データを読み出すディスクプレーヤ４５と、地図情報や検索情報等を表示する表示部４６と、経路誘導時に音声ガイド等を行うためのスピーカ４７と、地図ディスク１０に格納されたデータに基づいてデータの出力を制御するデータ制御部を有するとともにこれらを全体的に制御する制御部４８と、制御部４８での処理中のデータや地図ディスク１０からの地図データ等を記憶するメモリ４９とを有する。
【００１９】
地図ディスク１０に格納されているデータ内容のうち、仕向け識別に関係するデータの内容につき、以下図面に基づきより詳細に説明する。
図３は、仕向け識別用ファイルデータ１８の内容を示す。この仕向け識別用ファイルデータ１８は、Ａ仕向け、Ｂ仕向け、・・・といった具合に仕向けごとに、索引シグニチャ、種別コード格納数、種別コード、音声認識コード格納数、音声認識用途種別、認識辞書ＩＤ、認識語ＩＤといったレコード項目が設けられ、それぞれコードや個数が付与されている。すなわち、Ａ仕向けについては、上記レコード項目順にＣＣ、１、３４、ββ、２、２、γγ、１、９が付与されている。
なお、図３では便宜上「音声認識」は「音認」として表記している。
また、索引シグニチャや種別コードは、本発明の識別コードを構成する。
【００２０】
一方、上記仕向け認識別ファイルデータ１８は、Ａ仕向けナビゲーション装置２０やＢ仕向けナビゲーション装置３０で読み込まれた場合、後でより詳細に説明するが、自装置用のコードか否かを識別するが、この識別は地図ディスク１０をナビゲーション装置に装着しナビゲーション装置を稼働させる最初の段階で一度だけ実施される。
なお、Ａ仕向けナビゲーション装置２０とＢ仕向けナビゲーション装置３０とは、それぞれ自装置では利用しない他装置用の識別コードをメモリ４９に各自記憶してこれらに対応するデータ出力を制限して利用できないようにするとともに、図の下方に示すようにＡ仕向けナビゲーション装置２０では自装置用のコードをメモリエリア２０１に、またＢ仕向けナビゲーション装置３０では自装置用のデータをメモリエリア２０２にそれぞれ格納する。
【００２１】
索引データ１５は、検索時等に利用されるデータであって、図４に示すようにジャンル検索、５０音検索、電話番号検索（ＴＥＬ検索）等での検索が可能なファイルデータである。このうち、たとえばジャンル検索にあっては、ジャンル名リストデータ１５Ａが対応しており、このジャンル名リストデータ１５Ａにはシグニチャとこれに対応するジャンル名のデータを有し、たとえば、シグニチャＡＡに対してはジャンル名「デパート」、シグニチャＢＢに対してはジャンル名「温泉」といったデータとなっている。このシグニチャがそれぞれＡ仕向け、Ｂ仕向けＢといった識別コードの機能を有しており、仕向け識別ファイルデータ１８の索引シグニチャのコードに対応するようにしてある。
【００２２】
なお、ジャンル名リストデータ１５Ａの各ジャンル名については、さらに詳細な多くの物件データ１５ａ、１５ｂ、１５ｃ、・・・がリンクしており、必要に応じてさらに詳細な検索情報を提供できるようになっている。
また、Ａ仕向けナビゲーション装置２０とＢ仕向けナビゲーション装置３０とは、それぞれ自装置では利用しない他仕向け用のシグニチャをメモリ４９に各自記憶してこれらに対応するデータ出力を制限して利用できないようにするとともに、図の下方に示すようにＡ仕向けナビゲーション装置２０では自装置用のジャンル名２１１を表示部４６に、またＢ仕向けナビゲーション装置３０では自仕向け用のジャンル名２１２を表示部４６にそれぞれ表示可能である。
【００２３】
音声認識データ１６は、図５に示すように、住所認識とか施設認識といった用途種別リスト１６０を有しており、たとえば施設認識としてのコードββに対しては第１グループの認識辞書ＩＤ１６１と第２グループの認識辞書ＩＤ１６２が設けられるといった具合に用途種別リストリスト１６０の各項目に対応して認識辞書ＩＤが設けられている。これらの認識辞書ＩＤ１６１および認識辞書ＩＤ１６２は、同じ構造をしており、ここでは後者のみ例示してあるように、認識語ＩＤ、認識語、後続辞書ＩＤといった項目を有している。
なお、用途種別と認識語ＩＤと認識辞書ＩＤとは、本発明の識別コードを構成する。
【００２４】
各認識辞書ＩＤは、さらに認識辞書ＩＤ１６２ａ、認識辞書ＩＤ１６２ｂなどにもリンクされている。たとえば、認識辞書ＩＤ１６２ａは第２グループの認識辞書ＩＤ１６２の「エージャンル」に、また認識辞書ＩＤ１６２ｂは第２グループの認識辞書ＩＤ１６２の「ビージャンル」にそれぞれ対応している。認識辞書ＩＤ１６２ａはＡナビゲーション用の各物件名のデータを、また認識辞書ＩＤ１６２ｂは、Ｂナビゲーション用の各物件名のデータを有している。
なお、ナビゲーション装置２０とナビゲーション装置３０では、ナビゲーション装置の起動時に上記各ＩＤにより識別した他仕向け用の認識語をそれぞれ自装置用の認識対象テーブル１６００、１６５０から外すことにより、上記データの中からそれぞれ自装置に必要な認識語を集めて認識対象単語テーブル１６００、１７００を構築するようにしてある。
【００２５】
マークデータ１７は、図６に示すように、種別コードとこれに対応させたマーク実体のファイルデータを有している。マーク実体は、デパート、郵便局、温泉、車のディーラなどを地図上に表す記号等であり、ナビゲーション時に対応するマークを対応する位置にて地図上に重ねて表示するようにしている。なお、このマークデータは、Ａ仕向けナビゲーション装置では利用するがＢ仕向けナビゲーション装置では利用しないＡマークやＢ仕向けナビゲーション装置では利用するがＡ仕向けナビゲーション装置では利用しないＢマークを有している。
なお、種別コードは、本発明の識別コードを構成する。
【００２６】
上記ＡマークやＢマークのような仕向け別に利用が異なるマーク（たとえば、ディーラのマーク）は、種別コードにより他仕向け用であると識別されたらその対応するマーク実体を透明色とし、この透明色のマークを地図上に重ねて表示してあたかもそのマークが表示されていないように見せることにより、可視表示をしないようにする。
【００２７】
次に、上記地図ディスク１０を用いたＡ仕向け用のナビゲーション装置２０の動作につき説明する。
まずイグニッション・キーをオンにすると、ナビゲーション装置２０は、ディスクプレーヤ４５にて地図ディスク１０から仕向け識別用ファイルデータ１８を読み出し、他仕向け用の識別コードを獲得する。
このときの他仕向け用の識別コード獲得するための処理を、図７のフローチャートに基づき説明する。
【００２８】
ナビゲーション装置２０は、地図ディスク１０に格納された仕向け識別ファイルデータ１８から識別ファイルレコード数分を読み出し（ステップ１１）、次いでこれらのレコードのうちから一つの仕向けのレコード（図３の仕向け識別ファイルデータ１８の１行分）を読み込む（ステップ１２）。読み込んだレコード内に設定されている識別コードを獲得したら（ステップ１３）、識別コードによりこの読み込んだレコードがナビゲーション装置２０と同じ仕向けモデル用のデータであるのか否かを判定する（ステップ１４）。自装置モデル用のデータであれば、次の新たなレコードを一つ読み込み上記同様の判定を続ける。
【００２９】
一方、上記判定でその識別コードが自装置モデル用でないと判定されたら、他装置用の識別コードであると判定して自装置であるナビゲーション装置２０のメモリ４９にその識別コードを書き込む（ステップ１５）。判定を終えたファイルレコード数が最初に読み込んだファイルレコード数に達していなければ、上記レコードの読み込み、および上記判定をさらに続けていき、自装置モデル用でないものはすべてその識別コードをメモリ４９に書き込み格納する。こうして、他仕向けの識別コードをすべて獲得しメモリ４９へ書き込む。
【００３０】
このように他仕向け用の識別コードをすべて獲得したら、他装置モデル用の地図に対して以下の対応を行うことにより、自装置モデル用であるＡ仕向けの機能だけがナビゲーション装置２０で実現されるようにする。
すなわち、索引データ１５Ａに対しては、ジャンルリストの表示部４６への表示時に獲得したシグニチャに対応する他装置モデル用であるＢ仕向けのものをスキップするようにし、音声認識データに対しては用途種別と認識語ＩＤと認識辞書ＩＤにより識別した他仕向け用の認識語を認識対象単語テーブル１６００から削除するようにする。また、描画データにあっては、種別コードにより識別した他仕向けのマークを透明色として表示部４６に表示する。
【００３１】
次に、検索の仕向け処理について、図８のフローチャートに基づいて説明する。
この場合もナビゲーション装置２０を立ち上げたとき、ナビゲーション装置２０が、地図ディスク１０に格納された索引ファイルデータ１８からジャンル・リスト・データ数分を読み出し（ステップ２１）、次いでこれらのレコードのうちから一つのジャンルのレコードを読み込む（ステップ２２）。読み込んだレコード内に設定されている識別コード（シグニチャが対応）を獲得したら（ステップ２３）、識別コードによりこの読み込んだレコードが他装置モデル用のデータであるのか否かを判定する（ステップ２４）。他装置モデル用であれば、次の新たなレコードを一つ読み込み上記同様の判定を続ける。
一方、上記判定でその識別コードが他装置モデル用でないと判定されたら、メモリ４９に記憶させていき、すべての識別コードについて実施して得た結果に基づき自装置であるＡ仕向けのナビゲーション装置２０の表示部４６にジャンル名を表示する。（ステップ２５）。
【００３２】
上記処理と同様にナビゲーション装置の起動時に実行される音声認識データの仕向け処理について、図９のフローチャートに基づき説明する。
ナビゲーション装置２０は、地図ディスク１０に格納された音声認識ファイルデータ１６から認識語数分を読み出し（ステップ３１）、次いでこれらの認識語のうちから一つの認識語を読み込む（ステップ３２）。続いて読み込んだ認識語につき対応する用途種別と認識辞書ＩＤと認識語ＩＤとを獲得する（ステップ３３）。読み込んだ認識語の用途種別と認識辞書ＩＤと認識語ＩＤとが他装置モデル用の認識語であるのか否かを判定する（ステップ３４）。他装置モデル用であれば、認識語対象テーブル１６００から外し、次の認識語をさらに一つ読み込み上記同様の判定を続ける。
一方、上記判定でその用途種別と認識辞書ＩＤと認識語ＩＤとが他装置モデル用でないと判定されたら、自装置であるナビゲーション装置２０のメモリ４９に設けた認識語対象テーブル１６００に格納する。（ステップ３５）。判定を終えた認識語数が最初に読み込んだ認識語数に達していなければ、次の認識語につき上記読み込み、上記判定を続けていき、他装置モデル用でないものはすべて認識語対象テーブルに格納していく。
【００３３】
次に、地図上へのマーク描画処理について図１０のフローチャートに基づき説明する。
ナビゲーション装置２０は、地図ディスク１０に格納されたマークファイルデータ１７からマーク実体データ数分を読み出し（ステップ４１）、次いでこれらのデータのうちから一つのマークデータを読み込む（ステップ４２）。読み込んだマークデータ内に設定された種別コードを獲得したら（ステップ４３）、種別コードによりこの読み込んだマークデータが他装置モデル用のデータであるのか否かを判定する（ステップ４４）。他装置モデル用であれば、そのマーク実体を透明色に変更し（ステップ４５）、自装置であるＡ仕向けナビゲーション装置２０のメモリ４９に透明色に変更したマーク実体を登録する（ステップ４６）。
【００３４】
一方、上記判定でその種別コードが他装置モデル用でないと判定されたら、自装置であるナビゲーション装置２０のメモリ４９にマーク実体をそのまま登録する（ステップ４６）。これらの処理は判定を終えたマーク実体データ数が最初に読み込んだマーク実体データ数に達していなければ、次の新しいマークデータにつき上記マークデータの読み込み、上記判定を続けていき、自装置であるＡ仕向けナビゲーション装置２０のメモリ４９に自装置モデル用および他装置モデル用のすべてのマーク実体を登録していく（ステップ４６）。ここまでの処理はイグニッション・キーをオンにした当初１回だけなされるだけである。
【００３５】
ナビゲーションが始まり地図上にマークを描画するときは、上記登録したマークを対応する地図上の位置へ地図画像に重ねて表示していく（ステップ４７）。このマークの描画にあっては、測位データ等に基づき表示部４６に表示する地図との関係でマークの種類の選択およびその描画位置が決定される。
そのため、図１１に示すように、マークの種別コードとその表示位置座標（Ｘ１，Ｙ１）、・・・、（Ｘ７、Ｙ７）とからなる描画データ１９が、ナビゲーションに応じてその都度作成される。そして、表示部４６上に表示された地図の上記表示位置座標に該当する位置に種別コードで選択されたマークが地図上に重ねて表示される。
【００３６】
このときのＡ仕向け用ナビゲーション装置２０の画面に表示された地図情報２２１とＢ仕向け用ナビゲーション装置３０の画面に表示された地図情報２２２の例を図１１の下方に示す。なお、同図においてマーク実体を透明色にした場合、そのマーク実体には＜＞を付けて示してある。このように、Ａ仕向け用ナビゲーション装置２０に表示された地図情報２２１では他装置モデル用のマークであるＢは透明色にされているので、画面をみてもこれらのマークは見えず、実質的に表示されていないのと同じになる。Ｂ仕向け用ナビゲーション装置３０の画面２１０も同様に他装置モデル用のマークであるＡは透明色とされ、画面をみてもこれらのマークは見えず、実質的に表示されていないのと同じになる。
【００３７】
なお、以上の図７から図１０のフローチャートに示した処理は、ナビゲーション装置２０の制御部４８で実行され、本発明の出力制限手段を構成する。
【００３８】
以上のように、本発明の実施の形態の地図ディスク１０は、仕向けが異なるナビゲーション装置を識別するための識別コードを有する仕向け別識別用コードファイル１８と、識別コードに対応づけられ、自装置モデルでのみ利用のための出力を許容する検索データ１５、音声認識データ１６、マークデータ１７といった複数の仕向け別データと、上記複数のナビゲーション装置で出力を許容する共通データとしての地図データを格納しているので、仕向け別に異なるデータを使用する場合にこれらの仕向け別データをまとめて１つの地図ディスク１０に格納しても、他装置モデル用の余分なデータや好ましくないデータまで可視表示出力あるいは音声出力あるいは音声認識されることがない。
【００３９】
また、本発明の実施の形態のナビゲーション装置４０（Ａ仕向けのナビゲーション装置２０とＢ仕向けのナビゲーション装置３０）は、他装置モデル用の余分なデータや好ましくないデータまで可視表示出力あるいは音声出力あるいは音声認識されることがない。また、上記地図ディスク１０を用いても地図上等でみせたくないマークをあらかじめ登録して透明色にしておけば、描画の都度データ選別判定による描画速度の遅れを抑制でき、かつ画像のスクロールもより高速で行うことができる。
【００４０】
なお、上記実施の形態では、共通データでない個別データをまとめた特定再生装置用データとしてメーカーなどへの仕向けのケースにつき説明したが、同じメーカーであっても装置モデル等により異ならせたデータであってもよい。また、同じ装置モデルであっても、装置によって個別データを異ならせて出力制限するようにしても同様の効果が得られる。
記録媒体としては、地図マップ１０のようなＣＤ−ＲＯＭやＤＶＤなどのディスク他に、ハードディスクや半導体メモリなどを用いることも可能であり、さらに個別データ、共通データにかかわらず通信部４２を介してなどインターネット等のネットワークを経由してデータを入手するようにしてもよい。
【００４１】
【発明の効果】
以上説明したように、本発明は複数の再生装置を識別するための識別コードを有する再生装置識別用コードファイルと、識別コードに対応づけられ、上記複数の再生装置のうちの一部の再生装置でのみ利用を許容する特定再生装置用データと、上記複数の再生装置で利用を許容する共通データとを格納することにより、再生装置別に異なるデータを使用する場合にこれらの個別データをまとめて１つの記録媒体に格納しても、再生装置によっては余分なデータや好ましくないデータまで出力されることのないようにした記録媒体を提供することが可能となる。
【００４２】
また別の本発明では、複数の再生装置を識別するための識別コードを有する再生装置識別用コードファイルと、識別コードに対応づけられ、上記複数の再生装置のうちの一部の再生装置でのみ利用を許容する特定再生装置用データと、上記複数の再生装置での利用を許容する共通データとを格納した記録媒体から再生装置識別用コードファイルを読み込んで自装置での利用が許可された識別コード以外の他装置用の識別コードを記憶し、特定再生装置用データのうち上記記憶した識別コードを有するデータについて上記利用のための出力を制限することにより、再生装置の使用種類によって異なったデータをまとめた記録媒体を再生しても、再生装置によっては余分なデータや好ましくないデータまで出力されることがないようにすることが可能となる。
【図面の簡単な説明】
【図１】本発明の実施の形態の地図ディスクに格納されたデータの種類の説明図
【図２】本発明の別の実施の形態のナビゲーション装置の構成を示すブロック図
【図３】仕向け別識別ファイルのデータ構造を示す図
【図４】索引データのデータ構造を示す図
【図５】音声認識データのデータ構造を示す図
【図６】マークデータのデータ構造を示す図
【図７】仕向け別識別処理のフローチャート
【図８】検索の仕向け別識別処理のフローチャート
【図９】音声認識の仕向け別識別処理のフローチャート
【図１０】マークの仕向け別識別処理のフローチャート
【図１１】マークの描画データのデータ構造とその表示画面との説明図
【符号の説明】
１０　地図ディスク
１２　描画用データ
１５　索引データ
１６　音声認識データ
１７　マークデータ
１８　仕向け識別用データ
１９　描画データ
２０、３０、４０　ナビゲーション装置
４１　測位部
４２　通信部
４４　音声入力部
４５　ディスクプレーヤ
４６　表示部
４７　スピーカ
４８　制御部
４９　メモリ
１６００、１７００　認識対象単語テーブル
【図１】
2004117331.tif 000003
【図２】
2004117331.tif 000004
【図３】
2004117331.tif 000005
【図４】
2004117331.tif 000006
【図５】
2004117331.tif 000007
【図６】
2004117331.tif 000008
【図７】
2004117331.tif 000009
【図８】
2004117331.tif 000010
【図９】
2004117331.tif 000011
【図１０】
2004117331.tif 000012
【図１１】
2004117331.tif 000013